(57)【要約】【課題】予備のパッキンを確実に保持し得るようにした医療用酸素供給装置を提供する。【解決手段】医療用酸素ボンベの口金に取り付けられて患者に医療用酸素を供給する医療用酸素供給装置であって、ボンベの口金２を挿通する穴１０ａを有する取付部材１０と、取付部材に配置され口金を一方向に押圧する押圧部材１３と、押圧部材と対向して配置され、医療用酸素の圧力を調整する圧力調整機構を収容した本体１５と、本体に配置され口金に設けた開口部に嵌合して医療用酸素が供給されるノズル１６と、口金に設けた開口部とノズルとの間に配置されたリング状のパッキン１と、を有し、押圧部材は、ボンベの口金に当接して押圧するねじ１１と、操作ハンドル１２を有しており、操作ハンドルは天板部１２ａと取付部１２ｂと、天板部の周縁から垂下した垂下部１２ｃと、垂下片部と取付部との間に形成されパッキンを保持するパッキン保持部１４と、を有する。【選択図】        図３
2020124364.tif 000002
【特許請求の範囲】
【請求項１】
医療用酸素を流通させる開口部を有する医療用酸素ボンベの口金に取り付けられて患者に医療用酸素を供給する医療用酸素供給装置であって、
医療用酸素ボンベの口金を挿通する穴を有する取付部材と、
前記取付部材に配置され、該取付部材の穴に挿通した医療用酸素ボンベの口金を一方向に押圧する押圧部材と、
前記取付部材に、該取付部材に配置された押圧部材と対向して配置され、医療用酸素の圧力を調整する圧力調整機構を収容した本体と、
前記本体に配置され、医療用酸素ボンベの口金に設けた開口部に嵌合して医療用酸素が供給されるノズルと、
医療用酸素ボンベの口金に設けた開口部と前記ノズルとの間に配置されたリング状のパッキンと、を有し、
前記押圧部材は、医療用酸素ボンベの口金に当接して押圧する押圧体と、該押圧体の一方の端部に配置された操作ハンドルを有しており、該操作ハンドルは天板部と、該天板部の中央に形成され押圧体が配置された押圧体取付部と、該天板部の周縁から押圧体側に垂下した垂下部と、該垂下片部と前記押圧体取付部との間に形成され前記パッキンを保持するパッキン保持部と、を有して構成されていることを特徴とする医療用酸素供給装置。
【請求項２】
前記押圧部材に形成されたパッキン保持部は、前記リング状のパッキンに形成された穴と嵌合する嵌合突起片と、前記嵌合突起に形成され該嵌合突起に嵌合したリング状のパッキンの一方の面と当接して係止する係止爪と、前記リング状のパッキンの一方の面が当接され該リング状のパッキンの外周部位に対応する位置に切欠部が形成された当接片と、を有して構成されていることを特徴とする請求項１に記載した医療用酸素供給装置。
【発明の詳細な説明】
【技術分野】
【０００１】
本発明は医療用酸素ボンベの口金に取り付けて患者に医療用酸素を供給する医療用酸素供給装置に関し、特に、操作ハンドルに予備のパッキンを保持し得るようにした医療用酸素供給装置に関するものである。
【背景技術】
【０００２】
病室で医療用酸素ボンベを起立させて、或いはカートに搭載して移動しつつ、患者に医療用酸素を供給することが行われる。医療用酸素ボンベに充填された医療用酸素は、医療用酸素供給装置によって所定の圧力に減圧され、該医療用酸素供給装置に取り付けたカニューラを経由して患者に供給される。
【０００３】
医療用酸素ボンベの口金に装着される一般的な医療用酸素供給装置は、医療用酸素ボンベの口金に装着するための取付部材と、医療用酸素ボンベに充填された高圧の医療用酸素を減圧する減圧機構及び流量を調整する調節機構を内臓したケーシングと、を有して構成されている（例えば特許文献１参照）。
【０００４】
特許文献１に記載された酸素供給装置は、患者の吸気に同調させて医療用酸素を供給するものである。この酸素供給装置は、ケーシングの端部に一体的に設けられた略ロ字状の取付部材を介してボンベの口金に装着され、止めねじによって固定し得るように構成されている。ケーシングに於けるボンベの口金に形成された開口部と対向する位置には、該開口部に嵌合して該ボンベに充填された高圧の医療用酸素の供給を受けるノズルが構成されている。ノズルにはパッキンが配置されており、該ノズルを口金に形成された開口部に嵌合して医療用酸素を供給する際に生じる虞のある医療用酸素の漏洩を防いでいる。
【０００５】
そして、ケーシングの内部には、高圧の医療用酸素を減圧する減圧部、減圧された医療用酸素を患者に供給又は停止する開閉部、患者の吸気に応じて開閉部を開閉する制御部、が配置されている。そして、減圧部と開閉部との間に配置されたオリフィスプレートを操作することで、医療用酸素の流量を設定し得るように構成されている。
【先行技術文献】
【特許文献】
【０００６】
【特許文献１】特許第６１９２２１３号公報
【発明の概要】
【発明が解決しようとする課題】
【０００７】
特許文献１に記載された酸素供給装置に代表される一般的な医療用酸素供給装置は、頻繁に医療用酸素ボンベに着脱されるため、パッキンには加力、脱力が繰り返して作用することとなり消耗し易い。このため、常に予備のパッキンを備えておくことが必要となる。
【０００８】
予備のパッキンは、医療用酸素供給装置の近くに備えられていることが好ましい。このため、パッキンに形成された穴にチェン或いは紐を挿通し、このチェン或いは紐を介してケーシングに取り付けた圧力計などに結び付けておくことで、予備のパッキンとしているのが一般的である。
【０００９】
上記の如くして予備のパッキンを備えた医療用酸素供給装置では、予備のパッキンがぶら下がるようになり、患者に酸素を供給する際に行う操作がし難くなるという問題や、チェン或いは紐の破断による予備のパッキンの紛失などの問題が生じる虞がある。
【００１０】
本発明の目的は、予備のパッキンを確実に保持し得るようにした医療用酸素供給装置を提供することにある。
【課題を解決するための手段】
【００１１】
上記課題を解決するための本発明に係る代表的な医療用酸素供給装置は、医療用酸素を流通させる開口部を有する医療用酸素ボンベの口金に取り付けられて患者に医療用酸素を供給する医療用酸素供給装置であって、医療用酸素ボンベの口金を挿通する穴を有する取付部材と、前記取付部材に配置され、該取付部材の穴に挿通した医療用酸素ボンベの口金を一方向に押圧する押圧部材と、前記取付部材に、該取付部材に配置された押圧部材と対向して配置され、医療用酸素の圧力を調整する圧力調整機構を収容した本体と、前記本体に配置され、医療用酸素ボンベの口金に設けた開口部に嵌合して医療用酸素が供給されるノズルと、医療用酸素ボンベの口金に設けた開口部と前記ノズルとの間に配置されたリング状のパッキンと、を有し、前記押圧部材は、医療用酸素ボンベの口金に当接して押圧する押圧体と、該押圧体の一方の端部に配置された操作ハンドルを有しており、該操作ハンドルは天板部と、該天板部の中央に形成され押圧体が配置された押圧体取付部と、該天板部の周縁から押圧体側に垂下した垂下部と、該垂下片部と前記押圧体取付部との間に形成され前記パッキンを保持するパッキン保持部と、を有して構成されているものである。
【発明の効果】
【００１２】
本発明に係る医療用酸素供給装置（以下「酸素供給装置」という）では、操作ハンドルの垂下部と押圧体取付部との間にパッキン保持部を設けたので、このパッキン保持部に予備のパッキンを保持させることができる。このため、予備のパッキンが酸素供給装置の外部にぶら下がることがなく、操作性を阻害したり、予備のパッキンを紛失するようなことがない。
【図面の簡単な説明】
【００１３】
【図１】本実施例に係る酸素供給装置の構成を説明する外観図である。
【図２】本実施例に係る酸素供給装置の構成を説明する断面図である。
【図３】本実施例に係る操作ハンドルの構成を説明する図である。
【図４】パッキンの構成を説明する図である。
【発明を実施するための形態】
【００１４】
本発明に係る酸素供給装置は、医療用酸素ボンベ（以下「ボンベ」という）の口金に取り付けられ、該ボンベから供給された医療用酸素を所定の圧力に減圧させて患者に供給するものである。この酸素供給装置は、本体部に形成されたノズルをリング状のパッキンを介してボンベの口金に形成された開口部に嵌合させることで、酸素の漏洩を防ぐことが可能である。
【００１５】
特に、操作ハンドルにパッキン保持部を設けたので、消耗品であるパッキンの予備品をパッキン保持部に保持しておくことで、予備のパッキンを外部に露出させることなく、確実に保持し得るように構成されている。このため、操作性を阻害することなく、患者に対する医療用酸素の供給を行うことが可能となる。
【００１６】
本実施例に係る酸素供給装置Ａの構成について説明するのに先立って。酸素供給装置Ａに用いるパッキン１の構成について図４により説明する。図に示すパッキン１は、後述する酸素供給装置Ａの本体部１５に形成されたノズル１６の径や深さ、及びボンベ（図示せず）の口金２（図１に二点鎖線で示す）に形成された図示しない開口部の径、などの条件に対応させて予め設定された寸法を有している。
【００１７】
パッキン１は、弾性を有し且つ酸素による劣化が少ないゴムなどによって形成されている。パッキン１の中心にはノズル１６が挿通される穴１ａが形成されている。また、厚さ方向の両面にはリング状の突起１ｂが形成されており、外周部位にはメッキがほどこされている。
【００１８】
上記パッキン１は穴１ａを介して酸素供給装置Ａのノズルに１６装着され、ボンベの口金２に形成された開口部に取り付けられる際には、両面の突起１ｂがノズル側と開口部側の平面部分に夫々接触して押圧される。従って、ボンベに充填された医療用酸素を酸素供給装置に供給する際に、開口部とノズル１６との接合部位から医療用酸素が漏洩することがない。
【００１９】
次に、酸素供給装置Ａの構成について図１〜図３により簡単に説明する。酸素供給装置Ａは、ボンベの口金２に取り付けられ、該口金２に形成された図示しない開口部を介してボンベに充填された医療用酸素が供給され、供給された医療用酸素を減圧して患者に供給し得るように構成されている。
【００２０】
酸素供給装置Ａは、ボンベの口金２に取り付けるための取付部材１０と、取付部材１０と一体的に構成された本体１５とを有して構成されている。取付部材１０は略ロ字状に形成されており、中央にボンベの口金２を挿通するための穴１０ａが形成されている。取付部材１０の本体１５と対向する位置には、ボンベの口金２に取り付けたとき、該口金２を一方向に押圧するための押圧体となるねじ１１と操作ハンドル１２とからなる押圧部材１３が配置されている。
【００２１】
従って、取付部材１０の穴１０ａを介してボンベの口金２を挿通し、押圧部材１３の操作ハンドル１２を操作してねじ１１によって口金２を押圧することで、酸素供給装置Ａをボンベの口金２に取り付けることが可能である。また、操作ハンドル１２を操作してねじ１１による口金２の押圧を解除することで、酸素供給装置Ａを口金２から取り外すことが可能である。
【００２２】
本体１５には、酸素供給装置Ａを取付部材１０を介してボンベの口金２に取り付けたとき、該口金２に形成された開口部に嵌合し、該口金２に形成されたバルブを開放したときに医療用酸素が供給されるノズル１６が設けられている。このノズル１６はボンベの口金２に形成された開口部に嵌合する突起部１６ａを有しており、該突起部１６ａにリング状のパッキン１が着脱可能に取り付けられている。
【００２３】
本体１５には、ボンベから供給された高圧の医療用酸素を患者に適用するための圧力まで減圧する減圧機構が収容されている。この減圧機構の構造を限定するものではなく、通常の酸素供給装置に利用されている減圧機構をそのまま用いることが可能である。また、本体１５に減圧機構に加えて流量調整機構を収容しても良いことは当然である。
【００２４】
本実施例では、減圧機構は医療用酸素が供給されるノズル１６から患者に対して医療用酸素を供給するカニューラの接続口１７に至る間に形成された通路１８に配置されたダイヤフラム１８ａ、ケレップ１８ｂを有して構成されている。また、通路１８には圧力計１８ｃが配置されており、該圧力計１８ｃによってボンベに充填された医療用酸素の圧力を確認し得るように構成されている。
【００２５】
次に、パッキン１を保持するパッキン保持部１４の構成について具体的に説明する。パッキン保持部１４は押圧部材１３を構成する操作ハンドル１２に形成されている。この操作ハンドル１２は厚みを有する円板状に形成されており、一方側の面の中心に押圧体となるねじ１１が配置されている。
【００２６】
操作ハンドル１２は、天板部となる天板１２ａと、この天板１２ａの中央部分に形成されねじ１１を取り付けるための押圧体取付部となるボス状の取付部１２ｂと、天板１２ａの周縁からネジ１１と同じ方向に垂下した垂下部となる垂下片１２ｃと、取付部１２ｂと垂下片１２ｃの間に形成されたパッキン保持部１４と、を有して構成されている。
【００２７】
操作ハンドル１２に形成された取付部１２ｂの外周面と垂下片１２ｃの内周面との間の寸法はパッキン１の外径よりも僅かに大きく形成されている。また、取付部１２ｂと垂下片１２ｃを接続して複数のリブ１２ｄが放射状に形成されている。そして、前記リブ１２ｄを利用してパッキン保持部１４が形成されている。
【００２８】
パッキン保持部１４は、複数のリブ１２ｄの中から選択された一本のリブ１２ｄ１と、選択されたリブ１２ｄ１に隣接する２本のリブ１２ｄ２を利用して構成されている。リブ１２ｄ１に於けるパッキン１の穴１ａに対応する位置に、該穴１ａに嵌合する嵌合突起１４ａが形成されている。また、２本のリブ１２ｄ２とリブ１２ｄ１を結んで円弧状に当接片１４ｂが形成されている。
【００２９】
リブ１２ｄ１の天板１２ａからの高さ、及び当接片１４ｂの高さは、他のリブ１２ｄよりもパッキン１の厚さ分よりも低く形成されている。更に、リブ１２ｄ１のパッキン１の外周部位に対応する位置には、指を差し込むことが可能なように切欠部１４ｃが形成されている。
【００３０】
パッキン保持部１４を構成する嵌合突起１４ａの自由端側には、係止爪１４ｄが形成されている。この係止爪１４ｄは、パッキン１の穴１ａを嵌合突起１４ａに挿通したとき、該パッキン１の一方側の面に当接して係止するものであり、リブ１２ｄ１、当接片１４ｂの自由端との間にパッキン１の厚さよりも大きい寸法を有する位置に形成されている。また、係止爪１４ｄの嵌合突起１４ａの外周面からの突出寸法は、該嵌合突起１４ａにパッキン１を嵌合したときに、該パッキン１の穴１ａと当接し得る寸法を有している。
【００３１】
上記の如く構成されたパッキン保持部１４では、パッキン１の穴１ａを嵌合突起１４ａに嵌合させて天板１２ａ方向に押し込むことで、該パッキン１は係止爪１４ｄを乗り越えてリング状の突起１ｂがリブ１２ｄ１、当接片１４ｂに当接する。このため、パッキン１はリブ１２ｄ１、当接片１４ｂと係止爪１４ｄとの間に挟まれて保持され、パッキン保持部１４から離脱することなく、操作ハンドル１２の天板１２ａ、垂下片１２ｃの隠れることとなる。
【００３２】
また、パッキン保持部１４に保持したパッキン１を取り外す際にリブ１２ｄ１に指を差し込んだとき、この指先が切欠部１４ｃに入り込むことで、天板１２ａ側からパッキン１に力を加えて容易に取り外すことが可能である。
【００３３】
本実施例では嵌合突起１４ａに形成した係止爪１４ｄによってパッキン１をパッキン保持部１４に保持し得るように構成したが、必ずしもこの構成に限定するものではなく、嵌合突起１４ａの外径をパッキン１の穴１ａの径よりも僅かに大きくしても良い。この場合、パッキン１の穴１ａの内周面と嵌合突起１４ａの外周面との接触摩擦によって、パッキン１を保持することが可能となる。
【産業上の利用可能性】
【００３４】
本発明に係る酸素供給装置Ａは、高圧酸素が充填されたボンベを酸素の供給源とし、該ボンベの口金に着脱し得るようにした医療用酸素供給装置に利用して有利である。
【符号の説明】
【００３５】
Ａ              酸素供給装置
１              パッキン
１ａ            穴
１ｂ            突起
２              口金
１０            取付部材
１０ａ          穴
１１            ねじ
１２            操作ハンドル
１２ａ          天板
１２ｂ          取付部
１２ｃ          垂下片
１２ｄ、１２ｄ１、１２ｄ２
リブ
１３            押圧部材
１４            パッキン保持部
１４ａ          嵌合突起
１４ｂ          当接片
１４ｃ          切欠部
１４ｄ          係止爪
１５            本体
１６            ノズル
１６ａ          突起部
１７            接続口
１８            通路
１８ａ          ダイヤフラム
１８ｂ          ケレップ
１８ｃ          圧力計
【図１】
2020124364.tif 000003
【図２】
2020124364.tif 000004
【図３】
2020124364.tif 000005
【図４】
2020124364.tif 000006